(57)【要約】【課題】操作性の良い電気掃除機を提供する。【解決手段】ホース体の一端部を吸気風路の吸込側に連通させて本体ケースに取り付ける。接続管５２を回動させて下端面４０に対して吸気風路を所定の状態にした際に、モータ４５による回転ブラシ４４の回転駆動を停止させるオンオフスイッチ７３を設ける。回転ブラシ４４の回転駆動を操作せずにオンオフスイッチ７３にて停止できるので、ホース体にて掃除をする際の操作性をより良くできる。【選択図】        図１
2004173786.tif 000002
【特許請求の範囲】
【請求項１】
電動送風機の吸込側に形成された吸込風路を備えた掃除機本体と、
下面に被掃除面に対向して開口した吸込口、この吸込口内に回転可能に配設された回転清掃体、および前記吸込口に連通し前記下面に対して回動可能な連通管を備え、この連通管が前記掃除機本体に取り付けられて前記吸込風路の吸込側に前記吸込口を連通させ、この吸込口から前記電動送風機の駆動により被掃除面の塵埃を空気とともに吸い込む吸込口体と、
前記回転清掃体を回転駆動させる駆動手段と、
一端部が前記掃除機本体に取り付けられて前記吸込風路の吸込側に連通されたホース体と、
前記連通管を回動させて前記下面に対して前記吸込風路を所定の状態にした際に、前記駆動手段による前記回転清掃体の回転駆動を停止させるスイッチ手段と
を具備したことを特徴とした電気掃除機。
【請求項２】
下面に対して吸込風路を所定の状態にした際に、連通管の回動をロックさせるロック手段
を具備したことを特徴とした請求項１記載の電気掃除機。
【発明の詳細な説明】
【０００１】
【発明の属する技術分野】
本発明は、掃除機本体内の吸込風路の排気側に電動送風機が配設された電気掃除機に関する。
【０００２】
【従来の技術】
従来、この種の電気掃除機は、被掃除面に対向した下面に吸込口が開口した掃除機本体としての吸込口体を備えている。この吸込口体の内部には、吸込口に吸込側を連通させた状態で電動送風機が収容されている。また、この吸込口体における吸込口の内部には、回転清掃体としての回転ブラシが回転可能に取り付けられている。この回転ブラシは、電動送風機の駆動により回転駆動される。
【０００３】
また、吸込口体の基端部には、細長棒状の把持部の下端部が上下方向に回動可能に取り付けられている。そして、この把持部の内部には、吸込口体を立て掛けることにより、電動送風機の駆動を停止させるスイッチ手段が取り付けられている。すなわち、このスイッチ手段は、把持部を回動させて、この把持部の軸方向を吸込口体の下面の吸込口の開口面に対して所定の状態、具体的には直交して位置させることにより、電動送風機の駆動を停止させるとともに、この電動送風機の駆動の停止にて回転ブラシの回転駆動を停止させる（例えば、特許文献１参照。）。
【０００４】
【特許文献１】
特開２００１−３２１３０２号公報（第６−７頁、図３および図８）
【０００５】
【発明が解決しようとする課題】
しかしながら、上述の電動送風機では、把持部を回動させて、この把持部の軸方向を吸込口体の下面の吸込口の開口面に対して直交して位置させる、すなわち吸込口体を立て掛けることにより、電動送風機の駆動および回転ブラシの回転駆動のそれぞれがスイッチ手段により停止されてしまう。このため、吸込口体を立て掛けた状態では掃除ができないので、掃除の際の操作性が余り良くないという問題を有している。
【０００６】
本発明は、このような点に鑑みなされたもので、操作性の良い電気掃除機を提供することを目的とする。
【０００７】
【課題を解決するための手段】
本発明の電気掃除機は、吸込口体の吸込口に連通した連通管を回動させて掃除機本体内の吸込風路を、吸込口体の下面に対して所定の状態にした際に、駆動手段による回転清掃体の回転駆動がスイッチ手段により停止されるものである。そして、吸込口体の下面に対して掃除機本体内の吸込風路を所定の状態とすることにより、回転清掃体の回転駆動を操作することなくスイッチ手段にて停止できるので、ホース体にて掃除をする際の操作が容易になるから、操作性がより良くなる。
【０００８】
【発明の実施の形態】
以下、本発明の電気掃除機の一実施の形態の構成を図１ないし図９を参照して説明する。
【０００９】
図１ないし図９において、１は電気掃除機で、この電気掃除機１は、いわゆる循環式かつサイクロン式であるアップライト型の掃除機である。また、この電気掃除機１は、ケース体としての掃除機本体２を備えており、この掃除機本体２は、中空なモータケース部４を有している。そして、このモータケース部４の内部には、吸込側を下端側に向けた状態で電動送風機３が収容されている。また、このモータケース部４の後側の側面部には、両端が閉塞された中空な細長略矩形筒状の風路ケース部５が平行に並べられた状態で取り付けられている。
【００１０】
そして、この風路ケース部５の上端面の後側には、この風路ケース部５の軸方向に沿った状態から、この風路ケース部５の後側に向けて回動可能、すなわち折り曲げ可能な細長略棒状のハンドル体６が突設されている。このハンドル体６の先端部には、後側に向けて屈曲した細長略棒状の手許操作部７が設けられている。この手許操作部７の前側には、オンオフ操作により電動送風機３の駆動をオンオフさせる操作手段としての操作スイッチ８が取り付けられている。
【００１１】
さらに、風路ケース部５の内部には、モータケース部４の上端側に連通して、このモータケース部４内の電動送風機３の排気側に連通する循環風路としての排気風路１１が形成されている。この排気風路１１は、風路ケース部５の長手方向に沿って形成されている。また、この風路ケース部５の下端面には、排気風路１１の終端を構成する円形状の循環排気口１２が開口されている。
【００１２】
また、図７に示すように、風路ケース部５の内部には、一端に本体吸込口１３が開口され内部に吸込風路としての吸気風路１４が直線状に形成された略円柱状の吸気管１５が、風路ケース部５の排気風路１１に対して同心状に取り付けられている。すなわち、吸気管１５は、電動送風機３の吸込側に取り付けられるため、吸気風路１４は電動送風機３の吸込側に形成される。また、吸気管１５の他端側は、本体吸込口１３の軸方向に対して約９０度屈曲している。そして、この吸気管１５の他端部には、本体吸込口１３から吸い込んだ吸込風を排気させる流出口１６が開口されている。この流出口１６は、本体吸込口１３の開口面に直交した開口面を有しており、風路ケース部５の前側下方に開口された吸気連通口１７から外部へと突出している。
【００１３】
さらに、吸気管１５の周面部には、流出口１６および本体吸込口１３それぞれの開口面に対して直交した開口面を有する円筒状の分岐管部２１が一体的に突設されている。この分岐管部２１の内部には、吸気風路１４に連通した分岐風路２２が形成されている。また、この分岐管部２１の先端部には、分岐吸気口２３が開口されており、この分岐吸気口２３は、風路ケース部５の一側に開口されたホース体接続口２４から外部へと突出している。この分岐吸気口２３には、可撓性を有する湾曲可能な細長円筒状のホース体２５の長手方向における一端部が連通接続されている。そして、このホース体２５の一端部は、分岐風路２２を介して吸気風路１４の排気側に連通接続されている。
【００１４】
ここで、ホース体接続口２４に対向した風路ケース部５の他側の下側には、ホース体２５の長手方向における他端部が取り外し可能、すなわち着脱可能に接続される円筒状のホース受部２６が設けられている。このホース受部２６は、ホース体２５の他端部の接続により、このホース体２５の他端部を気密に閉塞させる。
【００１５】
一方、モータケース部４の下端面には、電動送風機３の吸込側を開口させる円形状の連通口３１が開口されている。この連通口３１には、電動送風機３による吸気とともに吸い込まれた塵埃を自重による遠心分離により分離して捕捉する略有底円筒状の塵埃分離部としての集塵装置である集塵カップ３２の開口部３３が着脱可能に取り付けられている。この集塵カップ３２の開口部３３は、この集塵カップ３２の上端部に形成されており、この開口部３３は連通口３１を介して電動送風機３の吸込側に気密に連通接続されて、風路ケース部５の前側に集塵カップ３２を着脱可能に取り付けさせる。
【００１６】
さらに、この集塵カップ３２の周面を構成する周面部３４の後側には、この集塵カップ３２内に吸込風を流入させる円形状の図示しない流入口が開口されている。この流入口は、風路ケース部５の吸気連通口１７に気密に連通接続されて、吸気管１５の吸気風路１４に気密に連通される。よって、この流入口は、吸気管１５の本体吸込口１３から吸い込んだ吸込風を流出口１６から集塵カップ３２内へと流入させて旋回風を生じさせる。この結果、電動送風機３の吸込側は、集塵カップ３２の流入口および開口部３３を介して吸気管１５の吸気風路１４の排気側に連通接続される。
【００１７】
一方、図８および図９に示すように、風路ケース部５の下端部には、吸込口体としての床ブラシ４１の基端部が着脱可能に接続されている。この床ブラシ４１は、内部が中空な略Ｔ字状の本体部としてのケース体４２を備えており、このケース体４２における被掃除面としての床面に対向した下面である下端面４０には、長穴状の吸込口４３が開口している。この吸込口４３の内部には、図１ないし図６に示すように、床面に入り込んだ塵埃などを回転にて掻き出す回転清掃体としての回転ブラシ４４が前後方向に向けて回転可能に取り付けられている。
【００１８】
さらに、この床ブラシ４１のケース体４２内における吸込口４３よりも後側の正面視右側には、駆動手段としてのモータ４５が収容されている。このモータ４５は、ハンドル体６の操作スイッチ８のオンオフ操作によって駆動がオンオフされる。また、このモータ４５の先端部には、このモータ４５の駆動により回転する回転軸４６が突出しており、この回転軸４６にはプーリ４７が同心状に取り付けられている。このプーリ４７は、回転ブラシ４４の軸方向における一端部の後側に位置しており、この回転ブラシ４４の回転方向に一致した回転方向を有している。そして、この回転ブラシ４４の一端部とプーリ４７との間には、無端状のベルト体４８が巻回されている。よって、このベルト体４８は、モータ４５の駆動による回転軸４６の回転に伴うプーリ４７の回転によって回転ブラシ４４を周方向に向けて回転駆動させる。
【００１９】
また、床ブラシ４１のケース体４２の内部には、吸込口４３に連通した吸込風路５１が形成されている。そして、この吸込風路５１の排気側であるケース体４２の基端部には、細長略円筒状の連通管としての接続管５２の先端部が取り付けられている。この接続管５２の先端部は、ケース体４２の幅方向に直交する前後方向である上下方向に向けて回動可能に接続されている。
【００２０】
すなわち、この接続管５２は、吸込口４３の開口面に対して軸方向を垂直にした状態から、この軸方向が吸込口４３の開口面に対して傾く方向に向けて回動可能である。具体的には、この接続管５２は、この接続管５２の軸方向が吸込口４３を有する下端面４０に対して垂直である直立した状態から、この接続管５２を傾けることができるように回動可能である。言い換えると、この接続管５２は、この接続管５２の軸方向を床ブラシ４１の走行方向である前後方向に対して垂直に位置させた状態から、この床ブラシ４１の後側に向けて回動可能である。
【００２１】
さらに、この接続管５２は、内部に形成された吸気風路５３の外周域に図示しない排気風路が形成された二重管構造とされている。そして、この接続管５２は、この接続管５２の基端を風路ケース部５の下端部に接続させることにより、この接続管５２の吸気風路５３を風路ケース部５内の吸気管１５の吸気風路１４に気密に連通させるとともに、この接続管５２の排気風路を風路ケース部５内の排気風路１１に気密に連通させる。
【００２２】
ここで、この接続管５２の吸気風路５３の吸気側は、ケース体４２内の吸込風路５１の排気側に連通している。また、この接続管５２の排気風路の排気側は、ケース体４２の吸込口４３の走行方向における後側に開口された図示しない循環風排気口に連通している。この循環風排気口は、電動送風機３からの排気風の一部を排気して、この排気風をケース体４２の吸込口４３へと循環させる。
【００２３】
また、接続管５２の吸気風路５３の吸気側である先端部には、幅方向に軸方向を有する略円筒状の連結筒部５４が形成されている。この連結筒部５４の先端部には、接続管５２の吸気風路５３の吸気側をケース体４２の吸込風路５１の排気側に連通させる連通口５５が開口されている。また、ケース体４２の吸込風路５１の排気側における上面および下面のそれぞれには、図４および図５に示すように、接続管５２の連結筒部５４を上下方向に向けて回動可能に保持する幅方向に沿った凹弧面状の内周面を有する保持凹部５６が形成されている。
【００２４】
さらに、接続管５２の連結筒部５４における連通口５５の上側には、接続管５２をケース体４２に対して上方に向けて回動させて、この接続管５２の軸方向をケース体４２の下端面４０に対して垂直に位置させることにより、ケース体４２内の吸込風路５１の排気側を気密に閉塞させて遮断する閉塞手段としての略平板状のシャッタ５７が取り付けられている。このシャッタ５７は、保持凹部５６の内周面に沿った円弧状の外周面を有しており、接続管５２の軸方向をケース体４２の下端面４０に対して垂直となるように接続管５２を上方に向けて回動させて掃除機本体２を立て掛けて起立させることにより、ケース体４２内の下面側に設けられた保持凹部５６の前側の周縁に先端部を当接させて、このケース体４２内の保持凹部５６間を気密に閉塞させる。
【００２５】
また、接続管５２の連結筒部５４の軸方向における一端部、すなわち正面視右側の端部には、図２ないし図６に示すように、この接続管５２を上方に向けて回動させて掃除機本体２を立て掛けた状態で、下方に向けて突出する係合突部６１が形成されている。この係合突部６１は、連結筒部５４の外周面から連結筒部５４の連通口５５の開口面に垂直な方向である径方向に向けて突出している。さらに、この係合突部６１の先端部には、図２ないし図５に示すように、断面略Ｖ字状の位置決め溝部６２が形成されている。この位置決め溝部６２は、連結筒部５４の軸方向に沿って形成されており、接続管５２を上方に向けて回動させて掃除機本体２を立て掛けた際に、下方に向けて開口する。
【００２６】
さらに、ケース体４２内における吸込口４３よりも後側である吸込風路５１の正面視右側には、被係合部としての略平板状の板ばね６３が取り付けられている。この板ばね６３は、吸込口４３に対して水平に取り付けられている。また、この板ばね６３の長手方向である前後方向における中央部には、上方に向けて山状に突出した位置決め凸部６４が幅方向に沿って折り曲げられて形成されている。この位置決め凸部６４は、係合突６１部の位置決め溝部６２に対応した逆Ｖ字状に形成されており、この位置決め溝部６２に対して係脱可能に係合される。
【００２７】
したがって、この位置決め凸部６４は、接続管５２の軸方向が吸込口４３の開口面を含む平面に対して垂直となるように、接続管５２を上方に向けて回動させて掃除機本体２を立て掛けて、この位置決め凸部６４を接続管５２の位置決め溝部６２に係合させることにより、この接続管５２のシャッタ５７によるケース体４２の吸込風路５１の閉塞した状態である掃除機本体２に対する床ブラシ４１の姿勢角度を板ばね６３の弾性力によって位置決め保持させる。このため、これら位置決め溝部６２および位置決め凸部６４により、接続管５２の回動を解除可能にロックさせるロック手段としてのロック機構６５が構成される。
【００２８】
また、図１に示すように、接続管５２の連結筒部５４の軸方向における他端部、すなわち正面視左側の端部には、この接続管５２を上方に向けて回動させて掃除機本体２を立て掛けた状態で、前側下方に向けて突出する押圧突部７１が形成されている。この押圧突部７１は、連結筒部５４の外周面から連結筒部５４の連通口５５より上側である径方向に向けて突出している。
【００２９】
さらに、ケース体４２内における吸込口４３よりも後側である吸込風路５１の正面視左側には、モータ４５の駆動のオンオフを制御する制御手段としての回路基板７２が取り付けられている。この回路基板７２は、モータ４５への電源の供給をオンオフさせることにより、このモータ４５の駆動のオンオフを制御する。また、この回路基板７２よりもケース体４２の内側である接続管５２の連結筒部５４の他端部における前側には、この接続管５２を上方に向けて回動させて掃除機本体２を立て掛けることでシャッタ５７によりケース体４２内の吸込風路５１の排気側が閉塞され吸気風路１４が実質的に閉塞されてホース体２５の他端部からの吸い込みが可能である所定の状態の際に、この接続管５２の押圧突部７１により押圧されてオンされるスイッチ手段としてのオンオフスイッチ７３が取り付けられている。このオンオフスイッチ７３は、接続管５２を下方に向けて回動させて、この接続管５２の押圧突部７１による押圧を解除させることによりオフされる。
【００３０】
すなわち、このオンオフスイッチ７３は、接続管５２の押圧突部７１による押圧によりオンされた際に、回路基板７２による制御によってモータ４５への電源の供給を絶ってこのモータ４５の駆動をオフさせて、回転ブラシ４４の回転駆動を停止させる。また、このオンオフスイッチ７３は、接続管５２の押圧突部７１による押圧の解除によってオフとされた際に、回路基板７２による制御によってモータ４５への電源の供給を開始させこのモータ４５の駆動をオンさせて、回転ブラシ４４を回転駆動させる。
【００３１】
次に、上記一実施の形態の動作を説明する。
【００３２】
まず、図８に示すように、掃除機本体２の風路ケース部５に対してハンドル体６が後側に折り曲げられた収納状態から、図９に示す使用状態にする場合には、風路ケース部５に対してハンドル体６を前側上方に向けて回動させて、このハンドル体６を風路ケース部５の上方に向けて突出させる。
【００３３】
この後、掃除機本体２のモータケース部４から導出したコード７５のプラグ部７６を、掃除箇所に近接した壁面などに設けられた図示しないコンセント部に接続する。
【００３４】
そして、ハンドル体６の手許操作部７を握り、ハンドル体６が立っている状態から後方へと傾けることにより、床ブラシ４１に対して掃除機本体２を後方に向けて傾け、床ブラシ４１の接続管５２をこの床ブラシ４１のケース体４２に対して後側に向けて回動させ、図２に示すように、この接続管５２の位置決め溝部６２によるケース体４２内の板ばね６３の位置決め凸部６４への係合をこの板ばね６３の弾性力に抗して解除させて、図１に示すように、この接続管５２の押圧突部７１によるオンオフスイッチ７３の押圧を解除させて、回路基板７２によるモータ４５への電源の供給を可能とするともに、図４に示すように、この接続管５２のシャッタ５７によるケース体４２内の吸込風路５１の閉塞を解除させる。
【００３５】
この状態で、ハンドル体６の操作スイッチ８を押して、電動送風機３を駆動させるとともに、回路基板７２にて電源をモータ４５に供給させてこのモータ４５を駆動させ、回転ブラシ４４を回転駆動させる。
【００３６】
すると、この電動送風機３の駆動により、床ブラシ４１の吸込口４３から外部の空気が吸い込まれるとともに、この空気とともに塵埃が吸い込まれる。よって、この床ブラシ４１の吸込口４３を床面に設置させて、ハンドル体６の手許操作部７を握って掃除機本体２を床面に沿って移動させて、この床面を掃除する。
【００３７】
このとき、床ブラシ４１の回転ブラシ４４の回転駆動により、床面に入り込んだ塵埃などが掻き出されるとともに、この床面に付着した塵埃などが拭き取られる。
【００３８】
そして、床ブラシ４１の吸込口４３から吸い込まれた空気が吸込風となり、この吸込風は、床ブラシ４１の吸込風路５１を通過した後、接続管５２の吸気風路５３を介して風路ケース部５内の吸気管１５の吸気風路１４へと吸い込まれる。
【００３９】
さらに、この吸込風は、吸気管１５の流出口１６から、風路ケース部５の吸気連通口１７を介して集塵カップ３２内へと吸い込まれた後、集塵カップ３２の周面部３４の内側面に沿って、この周面部３４の接線方向に向けて渦巻き状に旋回する。
【００４０】
このとき、吸込風とともに吸い込まれた塵埃は、渦巻き状に吸い込まれた吸込風による渦流の遠心力により、集塵カップ３２の内側面に沿うように移動して自重により落下して吸込風から分離されて、集塵カップ３２内に集塵される。
【００４１】
さらに、集塵カップ３２内で旋回した吸込風は、この集塵カップ３２の開口部３３からモータケース部４の連通口３１を介して電動送風機３へと吸い込まれた後、電動送風機３を通過して排気風とされる。
【００４２】
そして、この排気風は、モータケース部４内の上側から風路ケース部５の排気風路１１へと排気された後、この風路ケース部５の循環排気口１２を介して床ブラシ４１の排気風路へと排気されて、この床ブラシ４１の吸込口４３からの空気の吸い込みにより、この床ブラシ４１の吸込口４３へと循環する。
【００４３】
さらに、掃除機本体２に取り付けられたホース体２５を用いて家具の隙間などを掃除する場合には、まず、この掃除機本体２の風路ケース部５のホース受部２６からホース体２５の他端部を取り外す。
【００４４】
そして、掃除機本体２を床面上に載置させるなどして、この掃除機本体２を床ブラシ４１の前側へと傾けて、この床ブラシ４１の接続管５２の軸方向をケース体４２の下端面４０に対して垂直にして、図３に示すように、床ブラシ４１のケース体４２内に取り付けられた板ばね６３の位置決め凸部６４に接続管５２の位置決め溝部６２を係合させて、掃除機本体２に対して床ブラシ４１を前側に傾けた状態を保持させる。
【００４５】
このとき、図５に示すように、この床ブラシ４１の接続管５２に設けられたシャッタ５７によって、この床ブラシ４１のケース体４２内の保持凹部５６間が閉塞されるとともに、この床ブラシ４１の接続管５２に設けられた押圧突部７１によって、この床ブラシ４１のケース体４２内のオンオフスイッチ７３が押圧されてオンされて、回路基板７２による制御によりモータ４５の駆動がオフされて、回転ブラシ４４の回転駆動が停止される。
【００４６】
この結果、掃除機本体２の風路ケース部５の吸気管１５の本体吸込口１３が閉塞され、この吸気管１５の分岐管部２１の分岐吸気口２３が開口されるので、ホース体２５の他端部から空気が吸い込まれる。
【００４７】
そして、このホース体２５の他端部から吸い込まれた空気が吸込風となり、この吸込風は、このホース体２５内を通過した後、吸気管１５の分岐吸気口２３へと吸い込まれる。
【００４８】
さらに、この吸込風は、吸気管１５の分岐風路２２および吸気風路１４を通過した後、この吸気管１５の流出口１６から集塵カップ３２の流入口へと吸い込まれていく。
【００４９】
上述したように、上記一実施の形態によれば、床ブラシ４１のケース体４２に対して掃除機本体２を前側に向けて回動させて、この掃除機本体２を床ブラシ４１に対して起立させることにより、この床ブラシ４１の接続管５２によるケース体４２に対する回動によって、この接続管５２の軸方向がケース体４２の下端面４０に対して垂直に位置し、この接続管５２のシャッタ５７によってケース体４２内の吸込風路５１が閉塞される。
【００５０】
したがって、掃除機本体２のホース受部２６からホース体２５の他端部を取り外した後、この掃除機本体２を床ブラシ４１に対して起立させることによって、シャッタ５７にて吸込風路５１が閉塞されて吸込口４３からの空気の吸い込みが停止され、ホース体２５の他端部から空気が吸い込まれることとなる。このため、このホース体２５の他端部からの空気の吸込力を維持させつつ、このホース体２５による家具などの隙間の手許の掃除が可能となる。よって、このホース体２５にて掃除をする際の操作を容易にできるから、掃除機本体２の操作性をより良くできる。
【００５１】
またこのとき、この掃除機本体２を床ブラシ４１に対して起立させて、この床ブラシ４１の接続管５２の軸方向をケース体４２の下端面４０に対して垂直に位置させることにより、この接続管５２に設けた押圧突部７１がケース体４２内のオンオフスイッチ７３を押圧してオンさせ、回路基板７２による制御によってモータ４５への電源の供給が停止されて回転ブラシ４４の回転駆動が停止される。
【００５２】
したがって、手許操作部７の操作スイッチ８などを手動で操作することなく、掃除機本体２を床ブラシ４１に対して回動させることにより、回転ブラシ４４の回転駆動をオンオフスイッチ７３の押圧にてオンオフできる。このため、掃除機本体２のホース受部２６からホース体２５の他端部を取り外した後、この掃除機本体２を床ブラシ４１に対して起立させることにより、ホース体２５を用いた掃除の際には不要となる回転ブラシ４４の回転駆動を停止できる。よって、このホース体２５にて掃除をする際における電力の消費を効率良く防止できるとともに、誤操作を防止でき、不要な回転ブラシ４４の回転による回転音の発生を確実に防止できる。
【００５３】
また同時に、掃除機本体２を床ブラシ４１に対して起立させて、この床ブラシ４１の接続管５２の軸方向をケース体４２の下端面４０に対して垂直に位置させることにより、この接続管５２に設けた位置決め溝部６２がケース体４２内の板ばね６３の位置決め凸部６４に係合して、この接続管５２の軸方向をケース体４２の下端面４０に対して垂直にした状態が板ばね６３の弾性力によって解除可能に位置決め保持される。
【００５４】
したがって、掃除機本体２を起立させた状態で持ち上げても、板ばね６３の弾性力によって床ブラシ４１の自重による回動を防止できる。このため、この掃除機本体２を持ち上げることにより生じ得る接続管５２のシャッタ５７による床ブラシ４１の吸込風路５１を閉塞した状態の解除を簡単な構成で確実に防止できるとともに、オンオフスイッチ７３を押圧突部７１にて押圧することによる回転ブラシ４４の回転駆動を停止させた状態を簡単な構成で確実に維持できる。
【００５５】
よって、掃除機本体２のホース受部２６から他端部を取り外したホース体２５にて掃除をしている際に、回転ブラシ４４を回転駆動させず、かつ床ブラシ４１内の吸込風路５１を開口させずに、この掃除機本体２を持ち上げて移動できる。この結果、ホース体２５にて掃除をする際の操作性をより向上できるとともに、この掃除機本体２の掃除性をより向上できる。
【００５６】
なお、上記一実施の形態では、電動送風機３からの排気風のすべてを排気風路１１へと循環させずに、この排気風の一部あるいは全部をモータケース部４あるいは風路ケース部５に図示しない排気口を開口し、この排気口から電動送風機３からの排気風を排気させてもよい。
【００５７】
【発明の効果】
本発明によれば、連通管を回動させて吸込口体の下面に対して掃除機本体内の吸込風路を所定の状態とすることにより、回転清掃体の回転駆動を操作せずにスイッチ手段にて停止できるので、ホース体にて掃除をする際の操作性をより良くできる。
【図面の簡単な説明】
【図１】本発明の電気掃除機の一実施の形態の一部である吸込口体を示す縦断面図である。
【図２】同上吸込口体の連通管を回動させる前の状態を示す縦断面図である。
【図３】同上吸込口体の連通管を回動させた状態を示す縦断面図である。
【図４】同上吸込口体の連通管を回動させる前の状態を示す縦断面図である。
【図５】同上吸込口体の連通管を回動させた状態を示す縦断面図である。
【図６】同上吸込口体を示す横断面図である。
【図７】同上電気掃除機の一部を示す分解斜視図である。
【図８】同上電気掃除機の収納状態を示す後方斜視図である。
【図９】同上電気掃除機の使用状態を示す前方斜視図である。
【符号の説明】
１    電気掃除機
２    掃除機本体
３    電動送風機
１４    吸込風路としての吸気風路
２５    ホース体
４０    下面としての下端面
４１    吸込口体としての床ブラシ
４３    吸込口
４４    回転清掃体としての回転ブラシ
４５    駆動手段としてのモータ
５２    連通管としての接続管
６５    ロック手段としてのロック機構
７３    スイッチ手段としてのオンオフスイッチ
【図１】
2004173786.tif 000003
【図２】
2004173786.tif 000004
【図３】
2004173786.tif 000005
【図４】
2004173786.tif 000006
【図５】
2004173786.tif 000007
【図６】
2004173786.tif 000008
【図７】
2004173786.tif 000009
【図８】
2004173786.tif 000010
【図９】
2004173786.tif 000011